(57)【要約】      （修正有）【課題】使い捨てのプラスチック製袋体あるいは容器を設け、該袋体あるいは容器には、アメ等の包み紙や袋菓子のプラスチック製のフィルムや袋等の包装材を収納し、満杯になるまで一方的に収納し、ゴミの減容化と取扱い、リサイクルを容易にすることのできる資源ゴミ回収用袋体および容器を提供する。【解決手段】プラスチック製の袋体１あるいは、容器において、袋体１の入口部１ａあるいは、容器の一辺に、開口基部２ａを有する開口部２を設ける。また、該開口部２の内側に位置し、該開口部２より面積が大きく、且つ開口部２に向けて付勢手段を有する蓋体３を設け、該蓋体３は、内部方向には開くが、外部方向へは開口部２で停止するよう構成する。【選択図】図１
0003168011.tif 000002
【実用新案登録請求の範囲】
【請求項１】
プラスチック製の袋体（１）あるいは、容器（１′）において、袋体（１）の入口部（１ａ）あるいは、容器（１′）の一辺（１′ａ）に、開口基部（２ａ）を有する開口部（２）を設け、該開口部（２）の内側に位置し、該開口部（２）より面積が大きく、且つ開口部（２）に向けて付勢手段（Ｘ）を有する蓋体（３）を設け、該蓋体（３）は、内部方向には開くが、外部方向へは開口部（２）で停止するよう構成したことを特徴とする資源ゴミ回収用袋体および容器。
【請求項２】
プラスチック製の袋体（１）あるいは、容器（１′）の素材が、透明あるいは半透明であることを特徴とする請求項１記載の資源ゴミ回収用袋体および容器。
【請求項３】
開口部（２）と、蓋体（３）とが、凹凸状の密閉手段（Ｙ）に形成したことを特徴とする請求項２記載の資源ゴミ回収用袋体および容器。
【請求項４】
プラスチック製の袋体（１）あるいは、容器（１′）が、折り畳み式あるいは伸縮式であることを特徴とする請求項１または２記載の資源ゴミ回収用袋体および容器。
【考案の詳細な説明】
【技術分野】
【０００１】
この考案は、ゴミ回収用袋および容器であり、家庭、店舗、あるいは事業所からでるゴミ、特に、資源ゴミであるプラスチック素材からなる包装材等を回収するための資源ゴミ回収用袋体および容器に関するものである。
【背景技術】
【０００２】
従来、飲料用のペットボトル、飲料用の缶、食品トレイ等は、リサイクル可能に回収されているが、家庭等から排出されるプラスチック製の包み紙、袋菓子等のプラスチック製のシート、プラスチック製の袋等包装材は、取扱い量が微小のため、リサイクルされずに、紙ゴミと一緒に廃棄され、大半が焼却処分されているのが実状である。
【０００３】
また、これらのプラスチック製のシート材や袋等の包装材は、ゴミとして容器に収納する際、圧縮して収納しても、これら素材は、弾力性を有するため復元して嵩張るし、容器をシュリンク包装した包装材は風等に吹かれて飛び散らばる恐れがあり、収納の都度、ゴミ袋の入口を開け、収納後閉めることが必要であり、煩雑であった。
【０００４】
このように、プラスチックシートなどの体積の嵩張るゴミを圧縮して容積を減少（減容化という）させるごみ圧縮装置は存在した。例えば、特許文献１のように。
【０００５】
しかし、この発明は、ごみ袋をセットし、押圧装置、開閉阻止装置等を備えた機械的な装置であり、さらに、作動用の電気系統も備えたものであり、その圧縮したゴミを装置から取り出すための搬出作業も面倒であり、装置が、常時、設置されており、場所を占めるものであった。
【０００６】
また、使い捨てのものは、プラスチック袋として存在するものの、枠状の上部フレームと下部フレームとを複数の脚部で構成し、枠状の上部フレームに、１対の突起を設け、これによりごみ袋の上部開口部を拡げた状態で設置し、別体の蓋体を設け、開口部を閉塞するものであり、取り外し時にはやはり、煩雑なものであった。例えば、特許文献２のように。
【先行技術文献】
【特許文献】
【０００７】
【特許文献１】特開平０９−０１２１０３号公報
【特許文献２】特開平１１−１３９５０６号公報
【考案の概要】
【考案が解決しようとする課題】
【０００８】
そこでこの考案は、使い捨てのプラスチック製袋体あるいは容器を設け、これら袋体あるいは容器には、主に、アメ等の包み紙や袋菓子のプラスチック製のフィルムや袋等の包装材を収納し、満杯になるまで一方的に収納し、ゴミの減容化と取扱い、リサイクルを容易にすることのできる資源ゴミ回収用袋体および容器を開発・提供するものである。
【課題を解決するための手段】
【０００９】
この考案である課題を解決するための手段は、プラスチック製の袋体あるいは、容器において、これら袋体あるいは、容器の一面に、開口部を設け、該開口部の内側に位置し、該開口部を、開口可能に閉塞する蓋体であるが、外部からはゴミを投入できるが、内部のゴミは取り出せないよう構成した資源ゴミ回収用袋体および容器とするものである。
【考案の効果】
【００１０】
この考案によると、飲料用のペットボトルや飲料缶、食品トレー、その他のリサイクルされているものの、使用済みのプラスチック製の包装材やその他の資源となるが、微量なゴミや金属部品などの金属材等を収納することにより、そのままリサイクルすることにより、資源の循環、しいては二酸化炭素の排出規制、環境の美化、子供、社会全体に、資源・環境・意識の向上を図る等極めて有益なる効果を奏するものである。
【図面の簡単な説明】
【００１１】
【図１】この考案の一実施例を示す斜視図である。
【図２】この考案の他の実施例を示す斜視図である。
【図３】この考案の一実施例を示す一部欠截拡大断面図である。
【図４】この考案の一実施例を示し、（ａ）（ｂ）（ｃ）（ｄ）はそれぞれ密閉手段を示す一部欠截拡大断面図である。
【考案を実施するための形態】
【００１２】
この考案は、プラスチック製の袋体あるいは、容器において、袋体の入口部あるいは、容器の一辺に、開口基部を有する開口部を設け、該開口部の内側に位置し、該開口部より面積が大きく、且つ開口部に向けて付勢手段を有する蓋体を設け、該蓋体は、内部方向には開くが、外部方向へは開口部で停止するよう構成したことを特徴とする資源ゴミ回収用袋体および容器である。
【実施例】
【００１３】
この考案の一実施例を図１，図２に基づいて詳細に説明すると、プラスチック製の袋体（１）あるいは、容器（１′）において、袋体（１）の入口部（１ａ）あるいは、容器（１′）の一辺（１′ａ）に、開口基部（２ａ）を有する開口部（２）を設け、該開口部（２）の内側に位置し、該開口部（２）より面積が大きく、且つ開口部（２）に向けて付勢手段（Ｘ）を有する蓋体（３）を設け、該蓋体（３）は、内部方向には開くが、外部方向へは開口部（２）で停止するよう構成したことを特徴とする資源ゴミ回収用袋体および容器から構成されるものである。
【００１４】
そして、プラスチック製の袋体（１）あるいは、容器（１′）の素材が、透明あるいは半透明である資源ゴミ回収用袋体および容器であり、袋内に時限爆弾等がセットされても外部から容易に視認でき、テロ防止になるし、また、ゴミの分別収集を行っている地域においては、清掃員に内部がよく見えるため、作業効率が向上する。
【００１５】
さらに、図４に例示するように、開口部（２）と、蓋体（３）とが、凹凸状の密閉手段（Ｙ）に形成したことにより、ゴミに多少、食物残渣が付着していても、蠅等がたかることなく、衛生的である資源ゴミ回収用袋体および容器となるものである。
【００１６】
また、プラスチック製の袋体（１）あるいは、容器（１′）を、折り畳み式、あるいはベローズ状等の伸縮式に形成することにより、未使用時には、コンパクトであり、大量に保管しておいても、場所を占めないため、保管に便利である。
【産業上の利用可能性】
【００１７】
この考案によると、資源ゴミ回収用袋体および容器の製造技術を習得し、実施・販売することにより産業上の利用可能性がある。
【符号の説明】
【００１８】
１  プラスチック製の袋体
１′プラスチック製の容器
１ａ  入口部
１ａ′容器の一辺
２  開口部
２ａ  開口基部
３  蓋体
Ｘ  付勢手段
Ｙ  密閉手段
【図１】
0003168011.tif 000003
【図２】
0003168011.tif 000004
【図３】
0003168011.tif 000005
【図４】
0003168011.tif 000006
【手続補正書】
【提出日】平成23年4月1日(2011.4.1)
【手続補正１】
【補正対象書類名】明細書
【補正対象項目名】００１５
【補正方法】変更
【補正の内容】
【００１５】
さらに、図４に例示するように、開口部（２）と、蓋体（３）とが、凹凸状の密閉手段（Ｙ）に形成したことにより、ゴミに多少、食物残渣が付着していても、蠅等がたかることなく、衛生的である資源ゴミ回収用袋体および容器となるものである。
また、使用済みの注射針等の医療機関より排出されるゴミを、容器（１′）内に回収する場合は、開口部（２）上にゴミを置き、ピン等を用いて開口部（２）を押し開き、容器（１′）内に落下させて回収することにより、手で触れないで安全に回収することも可能できる。